(57)【要約】【課題】印字ヘッドの清掃機構や、媒体の印字面の清掃機構の小型化、簡素化を図る。【解決手段】印字面を有する媒体に印字を行なうための印字機構を有する媒体印字処理装置であり、印字機構は、印字を行なうヘッド先端面を有し、媒体の印字面にヘッド先端面を接触させて印字を行なう印字ヘッドと、印字ヘッドの位置を移動させる移動機構と、印字ヘッドのヘッド先端面を清掃するための清掃部材と、を備える。移動機構による印字ヘッドのヘッド先端面の移動軌道上に、ヘッド先端面の清掃部材を設置し、移動機構による印字ヘッドのヘッド先端面の媒体の印字面からの移動に連動して媒体の印字面上を通過するように、媒体の印字面を清掃するための印字面清掃部材を前記印字ヘッドと一体に構成したことを特徴とする。【選択図】図１
2011083904.tif 000002
【特許請求の範囲】
【請求項１】
印字面を有する媒体に印字を行なうための印字機構を有する媒体印字処理装置であって、
前記印字機構は、
印字を行なうヘッド先端面を有し、前記媒体の印字面に前記ヘッド先端面を接触させて印字を行なう印字ヘッドと、
前記印字ヘッドの位置を移動させる移動機構と、
前記印字ヘッドのヘッド先端面を清掃するための清掃部材と、を備え、
前記移動機構による前記印字ヘッドのヘッド先端面の移動軌道上に、前記ヘッド先端面の清掃部材を設置し、
前記移動機構による前記印字ヘッドのヘッド先端面の前記媒体の印字面からの移動に連動して前記媒体の印字面上を通過するように、前記媒体の印字面を清掃するための印字面清掃部材を前記印字ヘッドと一体に構成したことを特徴とする媒体印字処理装置。
【請求項２】
請求項１記載の媒体印字処理装置であって、
前記移動機構は、前記媒体の印字面に対して平行に設けられた回転軸を中心として、前記印字ヘッドを回転移動させることにより、前記印字ヘッドのヘッド先端面を前記清掃部材上に導いて前記ヘッド先端面を清掃させるとともに、前記印字ヘッドをさらに回転移動させることにより、前記印字面清掃部材を前記媒体の印字面上を通過させて、前記印字面を清掃させることを特徴とする媒体印字処理装置。
【請求項３】
請求項２記載の媒体印字処理装置であって、
さらに、前記印字ヘッドを回転移動させることにより、前記印字面清掃部材を前記清掃部材上に導き、前記印字面清掃部材を清掃させることを特徴とする媒体印字処理装置。
【請求項４】
請求項１記載の媒体印字処理装置であって、
前記移動機構は、前記媒体の印字面に対して前記印字ヘッドを平行移動させることにより、前記印字ヘッドのヘッド先端面を導いて清掃させるとともに、前記印字ヘッドの平行移動に連動して前記印字面清掃部材を平行移動させて前記媒体の印字面上を通過させて、前記印字面を清掃させることを特徴とする媒体印字処理装置。
【請求項５】
請求項４記載の媒体印字処理装置であって、
前記清掃部材は、前記ヘッド先端面が前記清掃部材上に導かれたときに、前記ヘッド先端面だけでなく、前記印字ヘッドのヘッド先端面の移動に連動して移動する前記印字面清掃部材も含む軌道上にも設置される大きさであることを特徴とする媒体印字処理装置。
【発明の詳細な説明】
【技術分野】
【０００１】
本発明は、加熱ヘッドを用いてリライトカード上に印字を行う媒体印字処理装置に関するものである。
【背景技術】
【０００２】
外部から取り込んだリライトカードに印字を行う装置では、ゴミ、埃が付着し汚れたカード等、様々なリライトカードが、装置のカード処理機構内に取り込まれる場合がある。この汚れたままのリライトカードをそのまま装置の印字機構内部に搬送させると、搬送機構、及び印字ヘッドのカードへの接触面である印字ヘッド先端面を汚してしまう恐れがある。また、汚れたリライトカードの搬送は、搬送機構、及び印字ヘッド先端面を汚してしまうだけでなく、汚れたままのリライトカードに印字処理が実行されると、汚れた部分における印字むら、印字擦れ等が発生し、印字の品質を低下させる要因となる。
【０００３】
そこで、良好な印字品質が求められる印字機構に対しては、媒体の印字面や印字ヘッドのヘッド先端面は常時清掃された状態が望ましく、特に、印字ヘッドのヘッド先端面は印字後、若しくは印字する前に、ヘッド先端面を清掃することが好ましい。
【０００４】
汚れの影響が大きく印字動作毎に清掃を行う必要がある場合の清掃方法として、例えば、特許文献１が開示されている、特許文献１では、装置の搬送路内にカード退避部を設置するとともに、搬送路内にクリーニングカードを常時１枚用意しておく構成が記載されている。そして、印字動作中はクリーニングカードを退避部に移動させておき、印字動作後にクリーニングカードをヘッド部に搬送し、ヘッド表面のこすり清掃を行うことにより、印字ヘッドの印字動作ごとに印字ヘッドの清掃を行なう方法が記載されている。
【０００５】
また、特許文献２には、カードの挿入口と印字ヘッドとの間に、カードの表面のクリーニング部材を備えたカードリーダが記載されており、印字前にクリーニングを行うことが記載されている。
【先行技術文献】
【特許文献】
【０００６】
【特許文献１】特開平８−２５５３１７号公報
【特許文献２】特開平６−１３９６８３号公報
【発明の概要】
【発明が解決しようとする課題】
【０００７】
特許文献１記載の場合には、装置の搬送路内にカード退避部を設置する場所、および、ヘッド部の清掃時にクリーニングカードを搬送させるスペースを確保するために、カード処理機構自体を小型化することが困難であるという問題がある。また、クリーニングカードによる清掃では、繰り返しの清掃により、ヘッド部を清掃する毎にクリーニングカード自体が汚れて、清掃効果が薄れることになるため、クリーニングカードの交換が頻繁に発生することになる。従って、処理件数の多い装置の場合には、装置の内部に複数のクリーニングカードを保管しておき、清掃で汚れたクリーニングカードを交換回収する機構を設置しなければならない、という問題もある。
【０００８】
また、特許文献２記載の場合には、印字後のカード搬送において、ローラー等の搬送機構にて印字後の印字面を汚してしまい、汚れたままの媒体が装置から放出される場合がある、という問題がある。
【０００９】
そこで、本発明は、印字ヘッドの清掃機構や、媒体の印字面の清掃機構の小型化、簡素化を図った媒体印字処理装置を提供することを目的とする。
【課題を解決するための手段】
【００１０】
本発明は、上述の課題の少なくとも一部を解決するためになされたものであり、以下の形態又は適用例として実現することが可能である。
【００１１】
［適用例１］
印字面を有する媒体に印字を行なうための印字機構を有する媒体印字処理装置であって、
前記印字機構は、
印字を行なうヘッド先端面を有し、前記媒体の印字面に前記ヘッド先端面を接触させて印字を行なう印字ヘッドと、
前記印字ヘッドの位置を移動させる移動機構と、
前記印字ヘッドのヘッド先端面を清掃するための清掃部材と、を備え、
前記移動機構による前記印字ヘッドのヘッド先端面の移動軌道上に、前記ヘッド先端面の清掃部材を設置し、
前記移動機構による前記印字ヘッドのヘッド先端面の前記媒体の印字面からの移動に連動して前記媒体の印字面上を通過するように、前記媒体の印字面を清掃するための印字面清掃部材を前記印字ヘッドと一体に構成したことを特徴とする媒体印字処理装置。
この媒体印字処理装置によれば、印字ヘッドの移動機構を備え、印字ヘッドのヘッド先端面の移動軌道上にヘッド先端面の清掃部材を備えるとともに、印字ヘッドのヘッド先端面の媒体の印字面からの移動に連動して媒体の印字面上を通過するように、媒体の印字面を清掃するための印字面清掃部材を印字ヘッドと一体に構成したことにより、従来の装置において必要であった、クリーニングカード退避部を設置する場所、および印字ヘッド清掃時にクリーニングカードを搬送させるスペース等が不要となり、印字ヘッドの清掃機構の小型化、簡素化が可能であるとともに、媒体の印字面の清掃機構の小型化、簡素化が可能である。
【００１２】
［適用例２］
適用例１記載の媒体印字処理装置であって、
前記移動機構は、前記媒体の印字面に対して平行に設けられた回転軸を中心として、前記印字ヘッドを回転移動させることにより、前記印字ヘッドのヘッド先端面を前記清掃部材上に導いて前記ヘッド先端面を清掃させるとともに、前記印字ヘッドをさらに回転移動させることにより、前記印字面清掃部材を前記媒体の印字面上を通過させて、前記印字面を清掃させることを特徴とする媒体印字処理装置。
この構成によれば、印字ヘッドを回転移動させることにより、簡素で小型な構成で印字ヘッドの移動機構を実現するとともに、印字ヘッドの移動に連動して印字面清掃部材の移動機構を実現することが可能であり、簡素で小型な構成で媒体の印字面の清掃機構を実現することが可能である。
［適用例３］
適用例２記載の媒体印字処理装置であって、
さらに、前記印字ヘッドを回転移動させることにより、前記印字面清掃部材を前記清掃部材上に導き、前記印字面清掃部材を清掃させることを特徴とする媒体印字処理装置。
この構成によれば、さらに、印字面清掃部材の清掃機構も容易に実現可能である。
［適用例４］
適用例１記載の媒体印字処理装置であって、
前記移動機構は、前記媒体の印字面に対して前記印字ヘッドを平行移動させることにより、前記印字ヘッドのヘッド先端面を導いて清掃させるとともに、前記印字ヘッドの平行移動に連動して前記印字面清掃部材を平行移動させて前記媒体の印字面上を通過させて、前記印字面を清掃させることを特徴とする媒体印字処理装置。
この構成によれば、印字ヘッドを平行移動させることにより、簡素で小型な構成で印字ヘッドの移動機構を実現するとともに、印字ヘッドの移動に連動して印字面清掃部材の移動機構を実現することが可能であり、簡素で小型な構成で媒体の印字面の清掃機構を実現することが可能である。
［適用例５］
適用例４記載の媒体印字処理装置であって、
前記清掃部材は、前記ヘッド先端面が前記清掃部材上に導かれたときに、前記ヘッド先端面だけでなく、前記印字ヘッドのヘッド先端面の移動に連動して移動する前記印字面清掃部材も含む軌道上にも設置される大きさであることを特徴とする媒体印字処理装置。
この構成によれば、さらに、印字面清掃部材の清掃機構も容易に実現可能である。
【図面の簡単な説明】
【００１３】
【図１】第１実施例のカード印字処理装置１００の概略構成図である。
【図２】印字ヘッド１のヘッド先端面７の清掃状態を示す説明図である。
【図３】カード６の印字面の清掃状態を示す説明図である。
【図４】印字面清掃部材２の清掃状態を示す説明図である。
【図５】第２実施例のカード印字処理装置２００の概略構成図である。
【図６】図５に示したカード印字処理装置２００を上方側から見た説明図である。
【図７】印字ヘッド１１のヘッド先端面１７およびカード１６の印字面の清掃状態を示す説明図である。
【発明を実施するための形態】
【００１４】
Ａ．第１実施例：
図１は、第１実施例のカード印字処理装置１００の概略構成図であり、カード印字機構部分を中心として側面側から示している。このカード印字処理装置１００は、印字ヘッド１と、カード６を搬送するためのカード搬送路８およびプラテン５と、を備えている。そして、カード６は、カード搬送路８およびプラテン５により、その印字面が印字ヘッド１の下部まで搬送され、印字ヘッド１の下端に設けられているヘッド先端面７によって印字が実行される。
【００１５】
ここで、カード印字処理装置１００は、印字ヘッド１の下端のヘッド先端面７とは反対側の端部に、紙面に垂直な回転軸３が設けられており、印字ヘッド１をこの回転軸３を中心に回転させるための駆動機構ＤＳを備えている。そして、印字ヘッド１を回転移動させた際にヘッド先端面７が通過する回転軌道上には、ヘッド先端面７を清掃するためのクリーニング体（本願の清掃部材に相当）４が設置されている。このクリーニング体４は、巻込み部１０から繰り出されて、上記した回転軌道上に配置され、巻取り部９に巻き取られる構造となっている。また、印字ヘッド１には、カード６の印字面を清掃するための印字面清掃部材２が一体化して設けられている。この印字面清掃部材２は、印字ヘッド１の回転移動に連動して円弧状に移動して、プラテン５上に配置されるカード６の印字面に接触するように通過して、クリーニング体４まで導かれる構造となっている。なお、この印字面清掃部材２の位置は、印字ヘッド１の回転移動に連動して円弧状に移動して、プラテン５上に配置されるカード６の印字面に接触するように通過して、クリーニング体４まで導かれる構造であればよく、好ましくは、ヘッド１の先端面７に可能な限り近い側で、印字ヘッド１に一体化して構成されているほうがよい。
【００１６】
図２は、印字ヘッド１のヘッド先端面７の清掃状態を示す説明図である。印字ヘッド１のヘッド先端面７を清掃する場合には、図２に示すように、印字ヘッド１をＡ方向（破線矢印方向）へ回動させることにより、ヘッド先端面７を、回転軌道上のクリーニング体４上に移動させる。そして、ヘッド先端面７をクリーニング体４で擦ることによりヘッド先端面７の汚れを清掃（拭き取る）ことができる。なお、この擦りによる汚れの清掃は、ヘッド先端面７がクリーニング体４に接触した状態で、クリーニング体４を巻込み部１０から巻取り部９へＨ方向（実線矢印方向）に巻き取ることにより実行することができる。この場合、ヘッド先端面７は、巻込み部１０から繰り出される未使用のきれいなクリーニング体にて拭き取られるので、ヘッド先端面７を汚すことがなく、良好な印字を行なうことができる。なお、このクリーニング体４としては、例えば、ガーゼ等の布製のものや、粘着フィルム状のもの等を利用することができる。
【００１７】
図３は、カード６の印字面の清掃状態を示す説明図である。カード６の印字面を清掃する場合には、図３に示すように、印字ヘッド１をＢ方向（破線矢印方向）へ回転移動させることにより、すなわち、カード６の印字面を清掃する印字面清掃部材２をプラテン５と対向する位置に移動させる。この状態において、印字面清掃部材２に対して、カード６をカード搬送路８の搬送路上でＣおよびＤ方向へと往復搬送させることにより、カード全面、特に、印字面に付着したゴミ、埃等の汚れを、印字面清掃部材２で除去することができる。なお、この印字面清掃部材２としては、例えば、一般的に使用されている粘着性のあるローラー用いることができる。
【００１８】
以上のように、印字ヘッド１の移動機構を備えることにより、図２に示したように、印字ヘッド１のヘッド先端面７を清掃することができる。また、図３に示すように、印字ヘッド１に一体化して設けられた印字面清掃部材２（カード清掃部材）により、カードの印字面を清掃することができる。
【００１９】
印字ヘッド１のヘッド先端面７およびカード６の印字面は、例えば、以下のようにして清掃される。まず、印字ヘッド１の移動機構を動作させて、図２に示すようにして、印字ヘッド１のヘッド先端面７を清掃する。次に、図３に示すようにして、カード６の印字面を清掃する。そして、図１に示した状態、すなわち、カード６をＤ方向へ搬送させた後、印字ヘッド１のヘッド先端面７をプラテン５に対向する位置に移動させ、カード６の印字面をヘッド先端面７の下部に搬送させて印字を開始させる。このようにすれば、印字時において、ヘッド先端面７およびカード６の印字面には、ゴミ、埃等の汚れが付着していない状態で印字を実行することが可能となる。
【００２０】
なお、カード６を清掃することにより印字面清掃部材２に付着したゴミ、埃等の汚れは、カードの清掃毎に付着して蓄積していくため、カード清掃毎、もしくは、定期的に付着した汚れを取り除く操作を実行することが好ましい。すなわち、印字面清掃部材２の清掃面も常にきれいな状態に保っておくことが好ましい。そこで、本実施例では、以下で説明するように、印字ヘッド１を回転移動させることによりクリーニング体４を利用して、印字面清掃部材２を清掃することも可能である。
【００２１】
図４は、印字面清掃部材２の清掃状態を示す説明図である。印字面清掃部材２を清掃する場合には、図４に示すように、印字ヘッド１を回転移動させることにより、印字面清掃部材２を、Ｋ方向（破線矢印方向）へ回転移動させ、クリーニング体４上に移動させる。そして、印字ヘッド１のヘッド先端面７の清掃時と同様にして、印字面清掃部材２に付着したゴミ、埃等の汚れをクリーニング体４で取り除くことが可能となる。
【００２２】
なお、印字ヘッド１のヘッド先端面７の清掃や印字面清掃部材２を清掃することによりクリーニング体４に付着したゴミ、埃等の汚れは、クリーニング体４の巻取り部９にて巻き取られていくため、ゴミ、埃等が、カード６の印字面に落下して汚れることや、カード搬送路８が汚れることはない。また、巻込み部１０に巻込まれている未使用のクリーニング体４がなくなるまで、オペレータの清掃作業を必要とせず、カードの清掃と印字ヘッドの清掃の容易化を図ることができる。
【００２３】
以上説明したように、本実施例のカード印字処理装置１００では、印字ヘッド１を回転移動させる移動機構と、この移動機構による印字ヘッド１のヘッド先端面７の移動軌道上に設置されたクリーニング体４とを備えることにより、印字ヘッド１をクリーニング体４上に移動させることにより、ヘッド先端面７のゴミ、埃等の汚れを容易に清掃することが可能である。また、印字ヘッド１に一体化された印字面清掃部材２を、プラテン５に対向する位置に移動させることにより、カード６、特に、カード６の印字面の、ゴミ、埃等の汚れを容易に清掃することが可能である。これにより、印字開始前に、印字ヘッド１のヘッド先端面７、および、カード６の印字面を清掃することにより、品質の高い印字が可能である。また、次に、印字動作が開始されるまでに時間が空くような場合に、印字後に印字ヘッド１のヘッド先端面７に付着した汚れが凝固しないうちに、すなわち、印字後直ちにクリーニング動作を実行することにより印字ヘッド１のヘッド先端面７の汚れ等を清掃しておくことも可能である。
【００２４】
従って、本実施例では、従来技術で説明した装置のような、装置内にクリーニングカード退避部を設置する場所、および、印字ヘッド清掃時にクリーニングカードを搬送させるスペース等が不要となり、印字動作毎に行う印字ヘッドの清掃機構、およびカードの印字面の清掃機構の小型化、簡素化が可能となる。また、印字の実行前における印字ヘッドやカードのクリーニング動作に加え、印字の実行後にも印字ヘッドやカードのクリーニング動作を行うことができるため、印字後のカード搬送において汚れのないカードを、装置より放出することが可能となる。
【００２５】
Ｂ．第２実施例：
図５は、第２実施例のカード印字処理装置２００の概略構成図であり、図１と同様にカード印字機構部分を中心として側面から示している。図６は、図５に示したカード印字処理装置２００を上方側から見た説明図である。図７は、印字ヘッド１１のヘッド先端面１７およびカード１６の印字面の清掃状態を示す説明図である。
【００２６】
このカード印字処理装置２００は、印字ヘッド１１と、カード１６を搬送するためのカード搬送路１８およびプラテン１５と、を備えている。第１実施例と同様に、カード１６は、カード搬送路１８およびプラテン１５により、その印字面が印字ヘッド１１の下部まで搬送され、印字ヘッド１１の下端に設けられているヘッド先端面１７によって印字が実行される。
【００２７】
ここで、プラテン５の手前側の側面で、後述するように、ヘッド先端面１７が平行移動する軌道上には、印字ヘッド１１のヘッド先端面１７を清掃するためのクリーニング体（本願の清掃部材に相当）１４が設置されている。また、印字ヘッド１１には、カード１６を清掃するための印字面清掃部材１２が一体化するように設けられている。なお、クリーニング体１４は、後述するように印字ヘッド１１の移動に連動して移動する軌道上にも設置される大きさを有している。ただし、クリーニング体１４の大きさは、少なくとも、印字ヘッド１１のヘッド先端面１７を清掃できる大きさであればよい。
【００２８】
印字ヘッド１１は、図６に示すように、印字ヘッド１１のヘッド先端面１７を、Ｅ方向（カードの搬送方向）と直交する方向、すなわち、Ｆ方向あるいはＧ方向に平行移動させる移動機構を備えている。この移動機構は、例えば、ソレノイドやリニアモーター等を用いた種々の一般的な駆動機構を用いることで実現できる。印字ヘッド１１および印字面清掃部材１２は、連動してＦ方向およびＧ方向に移動可能である、なお、クリーニング体１４は、印字ヘッド１１のヘッド先端面１７が移動する側（Ｆ方向側）に設置されている。そしてクリーニング体１４に対して、印字ヘッド１１のヘッド先端面１７がＦ方向に平行移動することで、図７に示すように、印字ヘッド１１のヘッド先端面１７の全面がクリーニング体１４に接触しながら通過して、ヘッド先端面１７の、ゴミ、埃等の汚れを除去（清掃）することができる。なお、このクリーニング体１４としては、第１実施例におけるクリーニング体４と同様の構成のものを用いることができる。
【００２９】
また、印字ヘッド１１を移動させる前に、図７に示すように、カード１６を、印字面清掃部材１２の直下の位置まで移動させておくことが好ましい。これにより、印字ヘッド１１の平行移動に連動して移動する印字面清掃部材１２をＦ方向、および、Ｇ方向に往復移動させることにより、印字面清掃部材１２がカード１６の印字面を接触しながら通過することにより印字面を清掃することができる。なお、印字面清掃部材１２としては、例えば、ブラシ等を利用することができる。
【００３０】
また、上記したように、印字ヘッド１１を平行移動させてヘッド先端面１７をクリーニング体１４の上を通過させる際には、印字ヘッド１１の平行移動に連動して印字面清掃部材１２もクリーニング体１４上を通過させることができる。これにより、印字面清掃部材１２に付着したゴミ、埃等の汚れを除去することもできる。
【００３１】
本実施例では、第１実施例と同様に、印字開始前に、印字ヘッド１１のヘッド先端面１７、および、カード１６の印字面を清掃することにより、品質の高い印字が可能である。また、次に、印字動作が開始されるまでに時間が空くような場合に、印字後に印字ヘッド１１のヘッド先端面に付着した汚れ等が凝固しないうちに、すなわち、印字後直ちにクリーニング動作を実行することにより印字ヘッド１１のヘッド先端面１７の汚れを清掃しておくことも可能である。また、本実施例では、第１実施例とは異なり、印字ヘッド１１と印字面清掃部材１２の連動した平行移動により、印字ヘッド１１のヘッド先端面１７の清掃、および、カード１６の印字面の清掃の２つの機能を１つの動作で同時に行うことができる、という利点がある。
【００３２】
本実施例においても、従来技術で説明した装置のような、装置内にクリーニングカード退避部を設置する場所、および、印字ヘッド清掃時にクリーニングカードを搬送させるスペース等が不要となり、印字動作毎に行う印字ヘッドの清掃機構、およびカードの印字面の清掃機構の小型化、簡素化が可能となる。また、印字の実行前における印字ヘッドやカードのクリーニング動作に加え、印字の実行後にも印字ヘッドやカードのクリーニング動作を行うことができるため、印字後のカード搬送において汚れのないカードを、装置より放出することが可能となる。
【００３３】
Ｃ．変形例：
以上、本発明の実施の形態について説明したが、本発明はこのような実施の形態になんら限定されるものではなく、その要旨を逸脱しない範囲内において種々なる態様での実施が可能である。
【００３４】
（１）例えば、上記実施例では、クリーニング体４，１４は、ガーゼ等の布製としているが、特に規定はなく、粘着フィルム状のものでゴミ、埃等の汚れを付着させる機構や、ブラシで擦り落とす機構等、印字ヘッドを清掃するクリーニング体４の形状の制約を受けず様々な態様での清掃の態様が可能である。例えば、印字ヘッドを回転移動や平行移動させる動作でヘッド先端面を、クリーニング体に対して複数往復移動させることにより汚れの拭き残りを無くす態様としてもよい。また、ヘッド先端面のクリーニング体への往復移動だけでは、一方向のみの拭き取りとなるため、汚れがヘッド先端面７に残り易く、印字品質が安定しないケースがある。そこで、ヘッド先端面に沿って平行に且つ、印字ヘッドの移動方向と直交する方向へ印字ヘッドを清掃するクリーニング体を微小の往復移動させることにより、ヘッド先端面の拭きむらを無くす拭き取りを行う態様としてもよい。すなわち、拭き取り方向を多様化した、様々な清掃の態様の適用が可能である。
【００３５】
（２）上記第１実施例では、カードを清掃する印字面清掃部材２は、一般的に使用されている粘着性のあるローラーを採用しており、上記第２実施例では、カードを清掃する印字面清掃部材１２はブラシを採用しているが、印字面清掃部材２，１２の目的は、カードの印字面のゴミ、埃等の汚れの除去を行うことである。従って、カードを清掃する印字面清掃部材２の形状、清掃の態様は、粘着性のあるローラーや、布製品で拭き取る機構、ブラシで擦り取る機構等、様々な方式を組み付けることができる。
【符号の説明】
【００３６】
１…印字ヘッド
２…クリーニング体
３…回転軸
４…クリーニング体
５…プラテン
６…カード
７…ヘッド先端面
８…カード搬送路
９…巻取り部
１０…巻込み部
１１…印字ヘッド
１２…クリーニング体
１４…クリーニング体
１５…プラテン
１６…カード
１７…ヘッド先端面
１８…カード搬送路
１００…カード印字処理装置
２００…カード印字処理装置
ＤＳ…駆動機構
【図１】
2011083904.tif 000003
【図２】
2011083904.tif 000004
【図３】
2011083904.tif 000005
【図４】
2011083904.tif 000006
【図５】
2011083904.tif 000007
【図６】
2011083904.tif 000008
【図７】
2011083904.tif 000009